(57)【要約】【課題】充電終了に要する時間が確保されると共に、充電のための充電器がその場に存在することをもって充電を促すメッセージ等を発生させることができる携帯端末装置及びその充電方式を提供する。【解決手段】携帯電話機２は、電池２３、これを充電する充電回路２２、送受信部２６、表示部２７、プログラムに従って動作する制御部２５による通常の構成のほか、その場に充電器が存在することを示す電波が充電器から受信する機能を備える。また、制御部２５は、充電器から受信した信号の受信時間に基づいてユーザーの帰宅が通常の帰宅時間帯にあることが判断され、その場に充電器の存在することが確認され、更に、二次電池２３の残量がユーザーの翌日の出勤までに不足することが判断されると、表示部２７に充電要求のメッセージを表示する機能を備える。【選択図】　　　　図３
2004023743.tif 000002
【特許請求の範囲】
【請求項１】
電源としての二次電池と、
前記二次電池を充電するための充電器が近くに存在することを示す信号を無線により前記充電器から取得する受信手段と、
各種の情報を表示する表示部と、
前記充電器から受信した信号の受信時間に基づいてユーザーの帰宅が通常の帰宅時間帯にあることが判断されると共に前記充電器からの信号の受信によって前記充電器の存在が確認され、かつ前記二次電池の残量が前記ユーザーの次の長時間外出までに不足することが判断されたとき、前記表示部に充電要求のメッセージを表示する制御部を備えることを特徴とする携帯端末装置。
【請求項２】
前記受信手段は、送信手段を備えて無線による送受信部を形成し、
前記制御部は、前記送受信部を制御して携帯電話又はＰＨＳ（Ｐｅｒｓｏｎａｌ　Ｈａｎｄｙｐｈｏｎｅ　Ｓｙｓｔｅｍ）の通信方式により基地局を介して無線電話網との接続を行う機能を備えることを特徴とする請求項１記載の携帯端末装置。
【請求項３】
前記制御部は、前記充電器からの前記信号の受信開始時刻及び受信終了時刻を夫々の母集団に加え、この母集団の夫々の中央値を帰宅判定しきい値とし、そのしきい値間において前記充電器の存在を判断できたとき、ユーザーの帰宅を判断することを特徴とする請求項１記載の携帯端末装置。
【請求項４】
前記制御部は、前記充電要求のメッセージの表示に代え、もしくは同時に警告音、メロディー、又は合成音声による警告を行うことを特徴とする請求項１記載の携帯端末装置。
【請求項５】
充電用の電源を出力する電源部、及び商用電源に接続されているときに常時微弱な電波を送信する送信回路を備える充電器と、
各種の情報を表示する表示部、電源としての二次電池、この二次電池を前記充電器から電源供給を受けて充電する充電手段、前記充電器の前記送信回路からの電波を受信する受信手段、及びプログラムに従って各種の制御を実行する制御部を備える携帯端末装置とを備え、
前記制御部は、前記送信回路からの電波を受信した時間に基づいてユーザーの帰宅時間帯を判断すると共に、充電器からの電波の受信が確認され、かつ前記二次電池の残量が前記ユーザーの次の長時間外出までに不足することが判断されたとき、前記表示部に充電要求のメッセージを表示することを特徴とする携帯端末装置の充電方式。
【請求項６】
前記充電器は、商用電源を使用する仕様であることを特徴とする請求項５記載の携帯端末装置の充電方式。
【請求項７】
前記制御部は、前記充電要求のメッセージの表示に代え、もしくは同時に警告音、メロディー、又は合成音声による警告を行うことを特徴とする請求項５記載の携帯端末装置の充電方式。
【請求項８】
前記送信回路は、その送信周波数が携帯電話又はＰＨＳ（Ｐｅｒｓｏｎａｌ　Ｈａｎｄｙｐｈｏｎｅ　Ｓｙｓｔｅｍ）で使用されている周波数帯に含まれるように選定されていることを特徴とする請求項５記載の携帯端末装置の充電方式。
【請求項９】
前記携帯端末装置は、携帯電話機、ＰＨＳ（Ｐｅｒｓｏｎａｌ　Ｈａｎｄｙｐｈｏｎｅ　Ｓｙｓｔｅｍ）電話機、携帯電話機能又はＰＨＳ機能を備えるＰＤＡ（ＰｅｒｓｏｎａｌＤｉｇｉｔａｌ　Ａｓｓｉｓｔａｎｔ）装置のいずれかであることを特徴とする請求項５記載の携帯端末装置の充電方式。
【発明の詳細な説明】
【０００１】
【発明の属する技術分野】
本発明は、携帯端末装置及びその充電方式に関し、特に、携帯端末装置の電源用二次電池の充電時期を適切に報知することのできる携帯端末装置及びその充電方式に関する。
【０００２】
【従来の技術】
近年、携帯電話機、ＰＨＳ（Ｐｅｒｓｏｎａｌ　Ｈａｎｄｙｐｈｏｎｅ　Ｓｙｓｔｅｍ）電話機、ＰＤＡ（Ｐｅｒｓｏｎａｌ　Ｄｉｇｉｔａｌ　Ａｓｓｉｓｔａｎｔ）装置等の携帯端末装置は多機能化し、電話機、電話帳、スケジュール帳、メモ帳、ＧＰＳ（　Ｇｌｏｂａｌ　Ｐｏｓｉｔｉｏｎｉｎｇ　Ｓｙｓｔｅｍ）、デジタルカメラ、録音機等の各機能が１台に集約されている便利さから、常時携帯するユーザーも多い。
【０００３】
このような携帯端末装置は、その電源に充電が可能な二次電池を用いており、継続的に使用するためには、電池残量が或るレベルまで低下した時点で充電を行うか、充電済みの二次電池に交換する必要がある。充電又は電池交換の目安をユーザーが認識できるように、ほとんどの携帯端末装置は、電池残量を満状態からゼロレベル状態までを３段階から５段階程度にして、警告（電池マークとバーグラフの組み合わせによる絵文字）をディスプレィに表示する機能を搭載している。
【０００４】
この警告は、単に残量検出時点の二次電池の残量レベルを表示するものであり、携帯端末装置が待ち受け状態か、使用中又は通話中（データ通信中）であるか、今後、長時間の（又は頻繁な）使用や通話が有りうるか否か等を考慮して行われるものではない。このため、まだ十分に使用可能であると思っているときに急に使用不能になる事態が生じることもある。
【０００５】
この問題を解決するため、例えば、特開平５−１６０７８８号公報では、コードレス子機とセルラー方式の携帯電話を兼用する型の携帯無線電話装置にあって、コードレス子機として用いた時に通信可能範囲内にあるときには、電池残量の警告レベルを高めに設定して警告を行い、電池残量が少ない状態での屋外への持ち出しを防止できるようにしている。
【０００６】
また、特開平６−６７７６６号公報では、これから伝送する通信予定のデータのデータ量に基づいて通信に要する電池残量を算出し、残量不足のときに通信動作を禁止する。これにより、データの一部が末送信のまま終わるのを防止することができる。
【０００７】
さらに、特開２０００−１９６７１４号公報では、現在の電池残量による通話可能時間と過去の平均通話時間（＝通話時間の累計／通話回数）を比較し、平均通話時間が通話可能時間内であれば通話を許可してその旨をディスプレィに表示し、不許可であればスピーカから音により警告する。これにより、ユーザーは電池切れによって通話が途中で切れるのを回避できる。以上の各特許公報に示されるように、単に電池残量を警告するだけでなく、携帯端末装置の使用状況に応じて電池の残量状態を警告することが可能である。
【０００８】
【発明が解決しようとする課題】
しかし、従来の携帯端末装置によると、電池残量警告が外出先で出された場合、警告に対して直ちにユーザーが対応することは困難であり、帰宅してから充電を行うことになるが、帰宅して直ぐに充電を開始すれば以後の使用に殆どを支障を及ぼすことはないが、充電を忘れた場合には二次電池の残量が少なくなり、外出直前に充電アラームが鳴り、充電ができなくなるという事態を招く恐れもある。
【０００９】
このような事態が発生する理由は、その場に充電器が有るか否か、充電完了までユーザーが在宅していられるか否かによらず、一方的に警告音や充電要求メッセージによる警告が出されるためである。
【００１０】
仮に、充電器と携帯端末装置をシステム化して警告を発することができれば、二次電池の充電が効率的に行えるようになると考えられる。例えば、自宅に充電器が存在することを検出し、さらに翌日の外出までに充電所要時間を満たすだけの時間があることを検出したときに携帯端末装置から充電を促すメッセージを出すことができるとすれば、二次電池の充電が確実に行えるようになる。
【００１１】
したがって、本発明の目的は、充電終了に要する時間が確保されると共に、充電のための充電器がその場に存在することをもって充電を促すメッセージ等を発生させ、確実に充電が行えるようにする携帯端末装置及びその充電方式を提供することにある。
【００１２】
【課題を解決するための手段】
本発明は、上記の目的を達成するため、第１の特徴として、電源としての二次電池と、前記二次電池を充電するための充電器が近くに存在することを示す信号を無線により前記充電器から取得する受信手段と、各種の情報を表示する表示部と、前記充電器から受信した信号の受信時間に基づいてユーザーの帰宅が通常の帰宅時間帯にあることが判断されると共に前記充電器からの信号の受信によって前記充電器の存在が確認され、かつ前記二次電池の残量が前記ユーザーの次の長時間外出までに不足することが判断されたとき、前記表示部に充電要求のメッセージを表示し又は音による警告を行う制御部を備えることを特徴とする携帯端末装置を提供する。
【００１３】
この構成によれば、充電器からの無線信号が受信手段により受信されると、その受信時間に基づいて、通常の帰宅時間帯にユーザーの帰宅があったか否かが判断され、通常の帰宅であれば充電器が存在することを確認し、充電器有りで且つユーザーの外出までに電池残量が不足することが判断されると、表示部に充電要求のメッセージが表示される。これにより、翌日の外出時（出勤時）までに二次電池を満充電にすることができ、外出直前に二次電池の充電アラームが発生等の事態を招くことがなくなる。
【００１４】
本発明は、上記の目的を達成するため、第２の特徴として、充電用の電源を出力する電源部、及び商用電源に接続されているときに常時微弱な電波を送信する送信回路を備える充電器と、各種の情報を表示する表示部、電源としての二次電池、この二次電池を前記充電器から電源供給を受けて充電する充電手段、前記充電器の前記送信回路からの電波を受信する受信手段、及びプログラムに従って各種の制御を実行する制御部を備える携帯端末装置とを備え、前記制御部は、前記送信回路からの電波を受信した時間に基づいてユーザーの帰宅時間帯を判断すると共に、充電器からの電波の受信が確認され、かつ前記二次電池の残量が前記ユーザーの次の長時間外出までに不足することが判断されたとき、前記表示部に充電要求のメッセージを表示することを特徴とする携帯端末装置の充電方式を提供する。
【００１５】
この方式によれば、充電器からの無線信号が携帯端末装置で受信されると、その受信時間に基づいて、通常の帰宅時間帯にユーザーの帰宅があったか否かが判断され、通常の帰宅であれば充電器が存在することを確認し、充電器有りで且つ二次電池の残量が前記ユーザーの外出までに不足することが判断されると、表示部に充電要求のメッセージが表示される。これにより、翌日の外出時（出勤時）までに二次電池を満充電にすることができ、外出直前に二次電池の充電アラームが発生等の事態を招くことがなくなる。
【００１６】
【発明の実施の形態】
以下、本発明の実施の形態を図面に基づいて説明する。
図１は、本発明の携帯端末装置の充電方式を示す。以下においては、携帯端末装置は携帯電話機であるとする。
【００１７】
ユーザーが自宅１に在宅するとき、自宅１内には、ユーザーの所持する携帯電話機２と、内蔵の二次電池を充電するための充電器３が存在するものとする。充電器３は充電用の電源回路を備えるほか、携帯電話機２に対する電波の送信機能を備え、携帯電話機２は充電器３からの信号を受信することができる。
【００１８】
図２は充電器３の構成を示す。充電器３は、一端にＡＣプラグ３１が接続された電源ケーブル３２を備えている。ＡＣプラグ３１は、ＡＣ１００ボルトの商用電源のコンセントに挿入される。さらに、充電器３は、電源ケーブル３２の他端に接続された電源回路３３、この電源回路３３に接続された発信回路３４、電源回路３３からの直流電源を携帯電話機２に供給するための接続コネクタ３５を備えている。
【００１９】
電源回路３３は、商用電源のＡＣ１００Ｖを直流の所定電圧に変換し、ライン３６を介して充電用の電源を接続コネクタ３５に供給し、更にライン３７を介して発信回路３４に電源を供給する。発信回路３４は、携帯電話機２に対して充電器３が近くに有ることを知らせるためのものであり、アンテナ３８を備え、情報を携帯電話機２が受信可能な周波数帯の微弱な電波にして発信する。接続コネクタ３５には、不図示のケーブルによって携帯電話機２側の接続コネクタが接続される。
【００２０】
図３は、本発明の携帯端末装置（携帯電話機）の詳細構成を示す。
携帯電話機２は、充電器３との接続に用いられる接続コネクタ２１、この接続コネクタ２１に接続された充電回路２２、この充電回路２２に接続された二次電池２３、各部に所定の電圧を供給する電源回路２４、携帯電話機２を制御する制御部２５、制御部２５に接続された送受信部２６、制御部２５に接続されてＬＣＤ表示器にメッセージ等を表示する為の表示部２７、送受信部２６に接続されたアンテナ２８、及び制御部２５に接続されたスピーカ２９を備えて構成されている。
【００２１】
接続コネクタ２１は、充電器３からの直流電源をライン４１を介して充電回路２２に供給する端子である。充電回路２２は、二次電池２３の電池電圧４２を測定して充電制御信号４３として制御部２５に通知し、さらに制御部２５からの充電制御信号４４に基づいて充電電流４５を調節する。電源回路２４は、二次電池２３の電池電圧４６を基に充電回路２２、制御部２５、及び送受信部２６が必要とする電圧の直流電源４７，４８，４９に変換する。制御部１５はＣＰＵ、ＲＯＭ、ＲＡＭ、及びユーザーインターフェースを備えて構成され、携帯電話機２内の各回路を制御するほか、充電制御信号４４、電源制御信号５２、送信データ５０等を生成する。ユーザーインターフェースは、キースイッチ（図示せず）、表示部２７、マイク（図示せず）等との接続を行うために用いられる。
【００２２】
送受信部２６は、制御部２５からの送信データ５０（音声、データ等）を変調し、周波数変換や電力増幅を施して電波にしてアンテナ２８から送信するほか、アンテナ２８で受信した電波を復調し、これを受信データ５１として制御部２５に通知する。更に、送受信部２６は、充電器３に内蔵されている発信回路３４からの電波を受信した場合も、受信データ５１として制御部２５に通知する。
【００２３】
図４は、携帯端末装置（携帯電話機２）における処理を示す。この処理は、ユーザーの帰宅時刻と外出時刻を知るための処理である。なお、以下のフローチャートにおけるＳはステップを表している。
【００２４】
充電器３の発信回路３４から送信された微弱な電波は、携帯電話機２の送受信部２６で受信される（Ｓ１０１）。携帯電話機２の制御部２５は、受信開始の時刻を内蔵のＲＡＭに記録する（Ｓ１０２）。ユーザーが携帯電話機２を所持して外出したり、出勤したりして、自宅１を離れると、充電器３の発信回路３８からの送信が途絶える（Ｓ１０３）。その電波の途絶時刻が携帯電話機２の制御部２５で検出され、受信終了時刻として制御部２５に内蔵のＲＡＭに記録する（Ｓ１０４）。以上のようにして得られた受信開始時刻と受信終了時刻はそれぞれの母集団に加えられ（Ｓ１０５）、それぞれの母集団の中央値が「帰宅判定しきい値」となる（Ｓ１０６）。このように、帰宅判定しきい値は、毎日、帰宅の度に更新されることになる。受信開始時刻が過去の帰宅時間（帰宅判定しきい値）の近傍であり、かつ充電器３からの電波を受信できたとき、制御部２５はユーザーの通常の「帰宅」であることを判断する。この「帰宅」は、翌朝まで携帯電話機２が充電器３に接続したままにできることを意味する。
【００２５】
図５は、本発明の充電方式の処理を示す。
携帯電話機２は、充電器３の存在の有無を監視（所定のタイミング、一定時間間隔等）している。充電器３に内蔵の発信回路３４から発する微弱な電波が携帯電話機２の送受信部２６で受信されると（Ｓ２０１）、その受信データ５１は制御部２５に通知され、これにより充電器３の存在の有無が確認される。ついで、携帯電話機２は、現在の時刻が図４の処理で得た帰宅判定しきい値を基に、帰宅の時間帯であるか否かを制御部２５により判断する（Ｓ２０２）。帰宅の時間帯であれば、二次電池２３の充電を準備するため、充電回路２２は二次電池２３の電池電圧４２を測定し、制御部２５に対して充電制御信号４３として通知し、制御部２５は充電制御信号４３の値から二次電池２３の電池残量を計算する（Ｓ２０３）。
【００２６】
そして、二次電池２３の残量が、翌日の外出時間までに無くなる可能性がある場合、充電要求のメッセージを表示部２７に表示する（Ｓ２０４）。ユーザーが表示部２７に表示された充電要求メッセージを見たことにより、携帯電話機２と充電器３の接続がユーザーの手作業により行われると（Ｓ２０５）、充電器３から携帯電話機２に電源供給が行われ、二次電池２３の充電が開始される（Ｓ２０６）。充電が開始されると、制御部２５は充電要求メッセージの表示を終了する（Ｓ２０７）。
【００２７】
Ｓ２０１で充電器３が存在することを確認できたときでも、Ｓ２０２において時刻が帰宅の時間帯でないと判断されたときには、Ｓ２０１の充電器３の存在の有無を監視する処理に戻される。また、Ｓ２０１で充電器３の存在が確認され、Ｓ２０２において時刻が帰宅の時間帯であることが判断された場合、充電制御信号４３に基づいて計算された電池残量が、翌日の外出時まで持つと判断された場合、処理はＳ２０１に戻され、充電器３の存在の有無を監視する。
【００２８】
以上のように、本発明の実施の形態によれば、ユーザーの帰宅した時、その場に充電器が存在するか否かを検出し、充電器が存在すれば、普段の帰宅時間で翌日まで在宅する可能性を判断し、帰宅時間に該当したときには翌日の外出までに電池残量が不足するか否かを判断し、充電が必要であれば充電要求のメッセージを表示してユーザーに警告し、充電の用意をさせる。このようにして、翌日の外出までに携帯電話機の二次電池を満充電にすることができる様になり、外出直前に二次電池の充電アラームが発生するという事態を未然に防止することができる。
【００２９】
上記実施の形態においては、充電器３から電波により存在を示す信号を発信するものとしたが、充電器３の設置場所が特定の１つの部屋等に限定されてもよい場合には、赤外線を用いてもよい。また、充電要求のメッセージの表示に代え、或いはメッセージと同時に音で警告をおこなってもよい。例えば、単音（モノトーン又は断続音）、音声合成によるメッセージ、メロディー等による警告をスピーカ２９により行うことが可能である。
【００３０】
【発明の効果】
以上より明らかなように、本発明の携帯端末装置によれば、充電器からの無線信号が受信手段により受信されると、制御部は、受信時間に基づいて通常の帰宅時間帯にユーザーの帰宅があったことを判断し、且つ充電器がその場に存在することが確認され、更にユーザーの外出までに電池残量が不足することを判断したとき、表示部に充電要求のメッセージを表示するようにしたので、翌日の外出時までに二次電池を満充電することができ、外出直前に二次電池の充電アラームが発生等の事態を招くことがなくなる。
【００３１】
また、本発明の携帯端末装置の充電方式によれば、充電器からの無線信号が携帯端末装置で受信されると、その受信時間に基づいて、携帯端末装置の制御部により、通常の帰宅時間帯にユーザーの帰宅があったか否かを判断し、通常の帰宅で且つ充電器の存在が判断され、更に電池残量がユーザーの外出までに不足することが判断されると、表示部に充電要求のメッセージが表示されるようにしたので、翌日の外出時までに二次電池を満充電することができ、外出直前に二次電池の充電アラームが発生等の事態を招くことがなくなる。
【図面の簡単な説明】
【図１】本発明の携帯端末装置の充電方式を示す構成図である。
【図２】図１の充電器の詳細構成を示すブロック図である。
【図３】本発明の携帯端末装置の詳細構成を示すブロック図である。
【図４】本発明にかかる携帯端末装置の処理を示すフローチャートである。
【図５】本発明の充電方式の全体の処理を示すフローチャートである。
【符号の説明】
１　自宅
２　携帯電話機
３　充電器
２１，３５　接続コネクタ
２２　充電回路
２３　二次電池
２４，３３　電源回路
２５　制御部
２６　送受信部
２７　表示部
２８，３８　アンテナ
２９　スピーカ
３１　ＡＣプラグ
３２　電源ケーブル
３４　発信回路
３６，３７，４７，４８，４９　直流電源
４１　直流電源ライン
４２，４６　電池電圧
４３，４４　充電制御信号
４５　充電電流
５０　送信データ
５１　受信データ
５２　電源制御信号
【図１】
2004023743.tif 000003
【図２】
2004023743.tif 000004
【図３】
2004023743.tif 000005
【図４】
2004023743.tif 000006
【図５】
2004023743.tif 000007